(57)【要約】【課題】既製レンズを使用する従来のレンズシャッター一眼レフカメラは非常に面倒で紛らわしい操作が必要であった。【解決手段】既存レンズのシャッター開閉部材にカメラ本体側の操作部材を係合して、その操作でカメラ本体内のミラー及び遮光板をモーター駆動して二つの遮光手段をひとつの操作部材で動作可能とし、かつカメラ本体内のミラー及び遮光板の動作を、バネとモーターを併用することで確実にした。【選択図】図６
2011141506.tif 000002
【特許請求の範囲】
【請求項１】
フイルムに露光するためのシャッターを内蔵したレンズと、該レンズに設けられ撮影者が操作可能なシャッター開閉レバーと、該レンズが取り付けられるレンズボードと、該レンズボードに一端を固着された蛇腹と、該蛇腹のもう一方の端面が固着されるカメラ本体と、該カメラ本体内に該レンズの光線束を反射するミラーと、該光線束を結像するファインダースクリーンを内蔵したカメラであって、前記レンズボードに軸支されて前記シャッター開閉レバーを案内しながら動かすシャッター開閉リングと、該シャッター開閉リングの動きを検知するスイッチと、その検知信号によって前記カメラ本体に内蔵された前記ミラーを昇降させるモーターを備えたことを特徴とするカメラ。
【請求項２】
前記シャッター開閉レバーを案内しながら動かす前記シャッター開閉リングには、該シャッター開閉レバーを収納する袋部が設けられ、該袋部は該シャッター開閉レバーの移動量より大きい動きをしながら該シャッター開閉レバーを案内することを特徴とする請求項１記載のカメラ。
【請求項３】
前記カメラ本体に内蔵された前記ミラーはミラーシートに貼り付けられ、該ミラーシートの側面に内カム板が形成され、該内カム板に設けられた内カムと、駆動レバーと、該駆動レバーに設けられ該内カムを案内する駆動ボスと、該内カム板に一端を支持されたミラーバネを備え、該駆動ボスは静止状態で該内カムに当接していないことを特徴とする請求項１項記載のカメラ。
【請求項４】
前記カメラ本体には回転する遮光板が内蔵され、該遮光板の側面に内カム板が形成され、該内カム板に設けられた内カムと、駆動レバーと、該駆動レバーに設けられ該内カムを案内する駆動ボスと、該内カム板に一端を支持された遮光バネを備え、該駆動ボスは静止状態で該内カムに当接していないことを特徴とする請求項１項記載のカメラ。
【発明の詳細な説明】
【技術分野】
【０００１】  本発明は、広義の概念で言えば、レンズ、フイルム等が交換可能で蛇腹を備えた一般撮影用カメラに関するものである。
【背景技術】
【０００２】  蛇腹を備えた一般撮影用カメラにおいては、撮影領域を拡大するためにレンズ交換可能とされ、既存のレンズを取り付けて使用することが多い。またこの種のカメラはいわゆるブローニーフイルムと呼ばれる中版以上の大きな撮影画面を有するため、そのサイズのために撮影画面の前面で走行するいわゆるフォーカルプレンシャッターを採用することが難しく、レンズに内蔵されたシャッターを使用するいわゆるレンズシャッターカメラが多い。またレンズシャッターはストロボに全速同調するので、撮影のメリットも多い。
このレンズとシャッターはひとつのユニットで供給され、ユーザーはそのユニットをカメラ本体にとりつけて使用する。【０００３】  また、この種の蛇腹を備えたカメラは、レンズを大きく繰り出して近距離での接写や、レンズ光軸を傾けていわゆるあおり撮影が可能な特徴があるが、そのためにはレンズで結像した画面を確認しながら撮影しなければならない。このために、結像位置にピントグラスをおいて像を確認し、撮影時にはピントグラスをずらしてフイルム等の感光材が挿入されているフイルムカセットを装着するものと、カメラ本体内にミラーを内蔵して光軸を反射屈曲させてファインダーグラスに結像させるいわゆる一眼レフカメラと呼ばれるものがある。
【発明の開示】
【発明が解決しようとする課題】
【０００４】  このレンズシャッターと一眼レフの両方の特徴を備えたカメラは、ピントグラスとフイルムカセットを交換する手間が無いため便利であるが、ファインダーで像を確認する間は撮影画面を遮光しなければならない。このために常にはフイルムの画面枠を覆ういわゆる引き蓋という遮光手段を設けるか、あるいはカメラ本体に内蔵された遮光板で撮影画面への漏光を遮蔽し、引き蓋を備えないカメラもある。【０００５】  この後者の遮光板で遮光するレンズシャッター一眼レフカメラに於いては、撮影画面を遮光しファインダーで像を確認するために、シャッターを強制的に開放させる操作部材が必要である。実際の撮影時の操作は、まずミラーと遮光板が降りて撮影画面が遮光されていることを確認して、シャッターを強制的に開放させるシャッター開閉レバー操作した後にファインダーで像を確認し、シャッター開閉レバーを戻してシャッターを閉じた後にミラーと遮光板を上げて撮影画面を露出させ、その後シャッターで露光させる、という非常に複雑な手順を要する。つまり、レンズに内臓されたシャッターと本体内のふたつの遮光手段を切り替えながら撮影しなければならない。【０００６】  このレンズ内シャッターとカメラ本体内の遮光手段の動きを連携させるシステムを構築すればこの不便は解消されるが、カメラ本体とレンズ内のシャッターとの複雑な連携が必要でレンズ、カメラ本体ともに専用品としなければ実現が難しい。【０００７】  本発明は、既存のシャッターを内蔵したレンズを使用しながら、この二つの遮光手段を連携させ、非常に簡単な構成で、操作の簡単なカメラを提供するものである。
【課題を解決するための手段】
【０００８】  本発明によると上記課題は次のようにして解決される。
レンズのシャッター開閉レバーに係合して前記シャッター開閉レバーを案内して動かすシャッター開閉リングを設け、前記シャッター開閉リングを前記レンズがとりつけられるレンズボードで軸支する。この構成により、前記シャッター開閉リングを操作することで、前記シャッター開閉レバーを動かすことが可能になる。さらにシャッター開閉リングの動きの両端を検知するスイッチを設けて、この検知手段によりカメラ本体内のミラーと遮光板をモーターで駆動する。【０００９】  前記シャッター開閉リングは前記シャッター開閉レバーと係合し案内する袋部を有し一体となって動くが、前記袋部は前記シャッター開閉レバーより大きく、前記シャッター開閉レバーは前記袋部のなかで動くことが可能である。前記シャッター開閉レバーが前記袋部のなかで片方に寄せられて一体となって動いてレンズ内のシャッターが閉じた後、反対方向に前記シャッター開閉リングを動かして前記レンズ内の前記シャッターを開けるときは、前記シャッター開閉レバーは前記袋部のもう一方に寄せられるためその移動が前記シャッター開閉リングより遅れて案内されながら動く結果になる。【００１０】  この構成により、前記シャッター開閉リングの端部を検知するスイッチは、前記シャッター開閉レバーの移動に先立って検知信号を発生し、前期検知信号によって動かされる前記モーターと前記ミラーと前記遮光板は、前記シャッターの強制開放に先立って下降し、誤って撮影画面が露光される危険性が無い。【００１１】  前記ミラーはミラーシートに貼られるが、前記ミラーシートはその側面に内カムを有した内カム板が形成されている。前記モーターによって回転する駆動レバーには駆動ボスが植設されている。前記駆動ボスが前記内カムを案内することで、前記ミラーが昇降するが、前記内カム板と固定側のボスにかけられたバネにより、前記ミラーの昇降動作の中間点をすぎると、前記バネにより、前記ミラーは急激に他方の位置まで回転させられる。【００１２】  この構成により、ミラーはモーターだけで動かされる場合より、早く確実に動かされる。またミラーが上がった位置、下がった位置の双方で、前記ミラーは前記バネによりその位置に押し付けられているため、不用意に動くことは無い。前記遮光板についても同様の構成である。
【発明の効果】
【００１３】  本発明によるカメラによれば、ひとつの操作でレンズ内のシャッターとカメラ本体内の遮光手段をともに動かすことが可能で、撮影操作の手順を簡単にできる。【００１４】  また本発明のカメラによれば、レンズを異なるものに交換しても、シャッター開閉リングの形状を対応させたものに交換すれば、同じ効果を得られる。【００１５】  また本発明のカメラによれば、カメラ本体内のミラーと遮光板の昇降動作を早く確実に行うことが可能となる。
【発明を実施するための最良の形態】
【００１６】  最初に、図１、図２、図３を使い、ミラーとファインダーを持たないタイプの蛇腹つきカメラの使用方法を説明する。【００１７】  図１はその撮影前の画像確認での状態を示す。【００１８】  カメラ本体１の撮影者側つまり背面にはフード３ｂを有するカメラバック３が装着されている。フード３ｂは上方に跳ね上げられて外部の光線を遮っている。この状態でレンズボード４を操作し、ピントと構図を確認する。尚その確認のためにはピントグラスが必要であるが、この図では見えないので省略している。またレンズ２のシャッター開閉レバーはシャッターを開放させた位置にあり、チャージレバー２ｂはチャージしていない位置にある。【００１９】  図２は撮影動作に入る状態を示す。【００２０】  カメラバック３は図１におけるフード３ｂを下にまわして出っ張りの無い状態でさらに背面側にスライドして動かされる。尚この状態でピントグラス３ｂが見えている。カメラ本体１とカメラバック３の間にできた隙間にフイルムカセット３１が挿入される。【００２１】  ここまでの操作を終えた後に、シャッター開閉レバーを矢印２ｄ方向に操作してシャッターを閉じる。【００２２】  図３はその後のシャッターで露光する段階を示している。【００２３】  フイルムカセット３１の引き蓋３１ａを引いてカメラ本体１とフイルムカセット３との隙間が遮光された状態でフイルム感光面をカメラ本体１内部で露出させる。さらにチャージレバーを矢印２ｅ方向にまわしてシャッターをチャージし、その後レリーズする。図３ではケーブルレリーズ２１を使用している。【００２４】  以上で撮影は終わるが、この後、フイルムカセット３１を外す前に引き蓋３１ａを再び挿入してフイルムの露光を防ぐことは言うまでも無い。【００２５】  上述の通り、シャッターを内蔵した既存のレンズ２を使用するカメラの操作は非常に複雑で手順を間違えると、撮影レンズ２ｉの像が露光されなかったり、また逆に露光された像が外光に曝されて消失してしまったり、という危険性が非常に大きい。【００２６】  また蛇腹を有することで接写やあおりが可能になるが、現実的には、カメラ操作に熟達しないと、使うことが出来ない。【００２７】  本発明はその手順を簡略化し、カメラ操作に熟達しなくても、露出、フイルム送りの基本的な操作以外をわかりやすくしミスの少ないカメラを提供する。
【実施例】
【００２８】  図４〜図２１を用いてその実施例のひとつを説明する。【００２９】  図４、図５は本発明のひとつの実施例の斜視図である。
図４は遮蔽フード１ａを閉めた状態で、図５は遮蔽フード１ａを開けてファインダーグラス１ｄを覗く状態である。
図５に示す通り、カメラバック３は内部にフイルム等の感光部材が装填された状態で、カメラ本体１の背面に装着されたままでファインダーグラス１ｄによって構図、ピント等の確認が出来る。ガイドレール１ｅに支持されてレンズボード４とレンズ２が一体となって繰り出される。カメラ本体１とレンズボード４の間は蛇腹で光線を遮蔽されている。レンズ２には、シャッター開閉レバー２ａ、チャージレバー２ｂ、レリーズレバー２ｃ、絞りレバー２ｆ、さらに撮影レンズ２ｉが備えられている。レンズボード２に軸支されて回転可能なシャッター開閉リング５には袋部５ａが一体に構成されており、該袋部５ａにシャッター開閉レバーが収まっている。シャッター開閉レバー２ａは袋部５ａの内側の上に接触して下側には空間がある。【００３０】  図６は、分解状態の斜視図で、一部部品は省略している。検知手段のスイッチとしてォトインタラプターの光ア７ａ、光イ７ｂがリング検知基板７に実装されて、レンズボード４の背面に固定されている。ミラーシート８、ミラー８ａを駆動するモーターの電源として、電池１１がカメラ本体１内部に収納される。カメラバック３は画面枠３ｄが開放されており、内部にフイルム等の感光剤が装填される。なおこの図６では、フイルム巻上げ等の操作部材は省略している。【００３１】  図７、図８は図５に於けるＸＸ断面図で、図７はミラーシート８、ミラー８ａ、遮光板８０が下がりファインダー主光線９に示す通り、ファインダーグラス１ｄで像を観察する状態で、この状態では、遮光板８０と遮光壁１ｃによって、画面枠３ｄへの光線は遮光されている。図８は、ミラーシート８、ミラー８ａ、遮光板８０が上がり、外部からファインダーグラス１ｄを通しての逆入光は遮光板８０と遮光壁１ｃによって遮光されているが、画面枠３ｄには撮影レンズ２ｉによる撮影主光線１０が到達する。尚レンズ２の内部には、シャッター羽２ｇと絞り羽２ｈがあり透過光量を調節する。またカメラバック３を外してミラー８ａ、ミラーシート８、遮光板８０を上に上げると、背面からロックネジ４ａを回すことが出来るので、レンズの交換が可能になる。【００３２】  図９、図１０はレンズ２とレンズボード４とそれらに関わる部品を分解した斜視図であり図９は撮影レンズ２ｉ側からみたもの、図１０は反対の背面からみたものである。
図９に於いて、シャッター開閉リング５はその内部の爪５ｂが、レンズボード４のフランジ爪４ｂにより、光軸方向で外れないように維持される。最初にドグ部材６の光線遮蔽部６ａをレンズボード４のスリット４ｄに差し込んで、その後シャッター開閉リング５をレンズボードに挿入してドグ部材６とネジ止めすれば、スリット４ｄによって回転角度が規制されるので、シャッター開閉リング５は外れることなく光軸を中心として一定の角度で回転可能になる。尚、光線遮蔽部６ａがその回転角度の両端で、光ア７ａ、光イ７ｂを遮蔽して角度を検知することは言うまでも無い。またレンズボード４の裏面に設けられたバネかけボス４ｅには片寄せバネ６ｂの一端がかけられ、他端は光線遮蔽部６ａにかけられることで、シャッター開閉リング５は図９に於いて、つねに時計回転方向に付勢されている。【００３３】  図１１、図１２はその角度関係を前からみたものである。図１１はシャッター羽２ｇが強制的に開けられた状態、図１２は反対に強制的に閉じられた状態である。
図１２に於いてシャッター開閉リング５はつねに矢印５ｅ方向に付勢されている。従ってシャッター開閉リング５を操作して反時計方向に動かすと、まずギャップ５ｆの１０度分はシャッター開閉レバー２ａは動かない。この間に図９の光ア７ａはハイからローへと変化し、この信号変化で、図９のシャッター羽２ｇが開く前にモーター１２が回転しミラーシート８、遮光板８０は下に動かされて、図７に示すように撮影画面３ｄへの光を遮蔽することが出来る。つまりシャッター開閉レバー２ａの１９度の回転に対してシャッター開閉リング５は２９度回転し、その差１０度間で、ミラーシート８、遮光板８０を動かす。【００３４】  図１１のシャッター羽２ｇが開いた状態から、操作リング５を時計方向に回すと、遅れることなくシャッター開閉レバーが動かされ、シャッター羽２ｇが閉じる。その動作は、最初のストローク９度３０分の間で行われる。光イ７ｂはハイからローに変化するがまだモーター１２は回転しない。さらに図１２の位置まで操作リング２が回されると光ア７ａはローからハイに変わりこの二つの信号を検知してモーター１２を回しミラーシート８、遮光板８０を図８の状態まで上に回転させる。後で詳述するが、このとき最初にミラーシート８を図８の状態まで上げてファインダーグラス１ｄからの逆入光を遮光してから遮光板８０が上に動き始めるので、フイルム３２が露光することは無い。【００３５】  従来のシャッターを内臓したレンズは、電源を持たずメカニカルに制御される。従ってシャッター開閉レバー２はシャッター羽２ｇとメカニカルにリングしてその開閉をするので、確実な動作のためにはシャッター開閉レバーの移動量を大きくして遊びをつくることが必要である。この実施例ではその遊びが片寄せされており、シャッター開閉レバーを時計方向にまわすときは、前半の動きでシャッター羽２ｇを閉じる。本発明は上述の通りこの遊びを利用し、さらに反対側にもシャッター開閉リングの形状を利用して遊びを作り出している。【００３６】  図１３はカメラ本体１の内部の駆動機構のモーター１２の側からの斜視図、図１４はそれを分解した状態でカメラ本体１を除外した斜視図である。なお図１３に於いて、カメラ本体１は断面をとっている。【００３７】  図１３においてその全体構成を説明する。
図６でも示したとおり、カメラ本体１はミラー８ａを収納する部分が壁で区切られ、その壁の外に駆動のための部品が配置される。図では見えないがミラーシート８、遮光板８０もミラー８と同じ部分に収納されている。ミラーシート８、遮光版８０はカメラ本体１の前記壁に開けられた規制穴ア１ｅ及び規制穴イ１ｆを通して外側の部材と一体化される。規制穴ア１ｅ及び規制穴イ１ｆはそれぞれミラーシート８、遮光板８０の回転角度を規制している。さらに外側からモーター取り付け板１５を介してモーター１２がカメラ本体１に固定される。図では見えないが、モーター１２で同軸に駆動される駆動レバー１３の角度を検知するフォトインターラプターの光ウ１６ａと光エ１６ｂを実装したミラー検知基板１６もカメラ本体１に固定されている。【００３８】  図１４に於いてその具体的構成を説明する。
ミラーシート８にミラー８ａが貼られて、軸ガイド部ア８ｂと遮光板８０の軸ガイド部イ８０ｆが同軸に合わされ、軸１４が挿入されて回転可能になる。尚図示していないが軸１４はカメラ本体１によって支持、固定されている。ミラーシート８は連結部材ア８ｂによって内カム板ア８ｃと一体化される。尚、連結部材ア８ｂは図１３の規制穴ア１ｅを貫通している。ミラーバネ１７の作用端ア１７ａが内カム板ア８ｃのバネかけ８ｄに掛けられ、固定端ア１７ｂはモーター取り付け板１５のバネかけ１５ａに掛けられる。尚、バネかけ８ｄは図示面の向こう側にある。【００３９】  遮光板８０は連結部材８０ｂによって内カム板イ８０ｃと一体化される。尚、連結部材イ８０ｂは図１３の規制穴イ１ｆを貫通している。遮光バネ１８の作用端イ１８ｂがバネかけイ８０ｄに掛けられ、固定惴イ１８ｂは図１３に示すカメラ本体１のバネかけ１ｇに掛けられている。【００４０】  駆動レバー１３は中央のモーター軸挿入穴１３ｄにモーター１２のモーター回転中心軸１２ａが挿入され、モーター取り付け板１５を介してカメラ本体１に固定される。駆動レバー１３には、内カムア８ｇに作用する駆動ボスア１３ａと内カムイ８０ｇに作用する駆動ボスイ１３ｂがそれぞれ植設されている。また反対側にはドグ部１３ｃが植設されて、光ウ１６ａ、光エ１６ｂで検知される。尚、モーター１２は減速ギアつきで秒間約一回転の回転速度である。ふたつのフォトインターラプター光ウ１６ａと光エ１６ｂがミラー検知基板１６に実装され、ミラー検知基板１６はカメラ本体１に固定される。【００４１】  図１５、図１６、図１７は遮光板８０とその関連部品を除外して、これら部品を右側面からみたもので、図１５はミラーが下りきった状態、図１６は上昇途中、図１７は上昇しきった状態である。尚、カメラ本体１は図示していない。図１５、図１６、図１７を用いてミラーシート８の動きを説明する。【００４２】  図１５において、ミラーシート８がさがりきっているとき、駆動レバー１３に植設された駆動ボスア１３ａはどこにも接触していない。この状態ではミラーバネ１７がミラーシ−ト８を反時計回転方向に付勢している。駆動レバー１３がモーター１２によって反時計方向に回転しはじめると駆動ボスア１３ａは内カムア８ｇの上辺に接触してミラーシート８を持ち上げ始め、駆動レバー１３が４０度回転したところで、ミラーバネ１７の付勢方向はミラーシート８の回転中心である軸ガイド部ア８ｆに向かうが、さらにわずかでも駆動レバーが回転を続けるとミラーシート８を時計回転方向に付勢し始めるので、駆動レバー１３に関係なくミラーシート８は即座に上に持ち上げられる。駆動レバー１３は８０度回転したところで光エ１６ｂに検知されその状態で停止する。【００４３】  図１８、図１９、図２０はミラーシート８とその関連部品を除外して、これら部品を右側面からみたもので、図１８は遮光板８０が下りきった状態、図１６は上昇途中、図１７は上昇しきった状態である。尚、カメラ本体１は図示していない。図１８、図１９、図２０を用いて遮光板８０の動きを説明する。【００４４】  図１８において、遮光板８０がさがりきっているとき、この状態では遮光バネ１８が遮光板８０を反時計回転方向に付勢している。駆動レバー１３がモーター１２によって反時計方向に４０度回転すると駆動ボスイ１３ｂは内カムイ８０ｇの上辺に接触して遮光板８０を持ち上げ始め、駆動レバー１３が６５度回転したところで、遮光バネ１８の付勢方向は遮光板８０の回転中心である軸ガイド部イ８０ｆに向かうが、さらにわずかでも駆動レバーが回転を続けると遮光板８０を時計回転方向に付勢し始めるので、駆動レバー１３に関係なく遮光板８０は即座に上に持ち上げられて止まる。【００４５】  ミラーが下降する場合は、詳述した動きの詳細はすべて反対方向に同様になされる。【００４６】  以上、ミラーシート８と遮光板８０の動きを詳述したが、駆動レバーが４０度回転したときは、ミラーシートが急激に持ち上げられてファインダーグラス１ｄからの逆入光を遮光し、フイルム３２を遮光している遮光板８０はその後に動き始めるので、フイルム３２がレンズ２のシャッターによる以外の露光をすることは無い。【００４７】  図２１はシャッター開閉リング５の両端を検知する光ア７ａ、光イ７ｂと駆動レバー１３の両端を検知する光ウ１６ａ、光エ１６ｂの状態とカメラの状態を表にしたもので、この４個のフォトインターラプターで論理演算することで、モーター１２の制御が可能なことを示している。
【産業状の利用可能性】
【００４８】  以上の発明によれば、従来例にくらべて非常にわかりやすく、また操作手順も少ないカメラを安価に提供可能である。特に接写やあおりが可能なカメラの普及に大きく寄与するものである。
【図面の簡単な説明】
【００４９】
【図１】従来例の斜視図で撮影操作の始めをしめした図である。
【図２】従来例の斜視図で撮影操作の途中をしめした図である。
【図３】従来例の斜視図で撮影操作の終盤をしめした図である。
【図４】本発明の一実施例の斜視図である。
【図５】図４の他の状態での斜視図である。
【図６】図４の主要部品を分解した状態での斜視図である。
【図７】図５のＸＸ断面図である。
【図８】図７とは異なる状態での図５のＸＸ断面図である。
【図９】図４のレンズまわりの部品を分解した斜視図である。
【図１０】図９の反対方向からの図である。
【図１１】図４のレンズまわりの部品を選択した正面図である。
【図１２】図１１の他の状態の図である。
【図１３】図４のミラーまわりの部品を選択した斜視図である。
【図１４】図４のミラーまわりの図１３とは異なる部品を選択分解した斜視図である。
【図１５】図４のミラーまわりの部品を選択した右側面図で一状態をしめす。
【図１６】図４のミラーまわりの部品を選択した右側面図で他の状態をしめす。
【図１７】図４のミラーまわりの部品を選択した右側面図で他の状態をしめす。
【図１８】図４の遮光板まわりの部品を選択した右側面図で一状態をしめす。
【図１９】図４の遮光板まわりの部品を選択した右側面図で他の状態をしめす。
【図２０】図４の遮光板まわりの部品を選択した右側面図で他の状態をしめす。
【図２１】本発明の電気的制御論理をしめす真理値表である。
【符号の説明】
【００５０】１  カメラ本体    １ａ  遮蔽フード    １ｂ  蛇腹    １ｃ  遮光壁
１ｄ  ファインダーグラス    １ｅ  規制穴ア    １ｆ  規制穴イ
１ｇ  バネかけ
２  レンズ    ２ａ  シャッター開閉レバー    ２ｂ  チャージレバー
２ｃ  レリーズレバー    ２ｄ  矢印    ２ｅ  矢印  ２ｆ  絞りレバー
２ｇ  シャッター羽    ２ｈ  絞り羽    ２ｉ  撮影レンズ
２ｊ  位置決めボス    ２ｋ  レンズ後端
３  カメラバック    ３ａ  ピントグラス    ３ｂ  フード    ３ｄ  画面枠
３１  フイルムバック    ３１ａ  引き蓋
３２  フイルム
４  レンズボード  ４ａ  ロックネジ    ４ｂ  フランジ爪    ４ｃ  位置決め切り欠き
４ｄ  スリット    ４ｅ  バネかけボス
５  シャッター開閉リング    ５ａ  袋部    ５ｂ  爪    ５ｃ  戻しバネ
５ｄ  光軸    ５ｅ  矢印    ５ｆ  ギャップ
６  ドグ部材    ６ａ  遮蔽壁    ６ｂ  片寄せバネ
７  リング検知基板    ７ａ  光ア    ７ｂ  光イ
８  ミラーシート    ８ａ  ミラー    ８ｂ  連結部材ア    ８ｃ  内カム板ア
８ｄ  バネかけア    ８ｆ  軸ガイドア    ８ｇ  内カムア
８０  遮光板        ８０ｂ  連結部材イ    ８０ｃ  内カム板イ
８０ｄ  バネかけイ    ８０ｆ  軸ガイド部イ
８０ｇ  内カムイ
９  ファインダー主光線
１０  撮影主光線    １１  電池
１２  モーター    １２ａ  モーター回転中心軸
１３  駆動レバー    １３ａ  駆動ボスア    １３ｂ  駆動ボスイ    １３ｃ  ドグ部
１３ｄ  モーター軸挿入穴
１４  軸
１５  モーター取り付け板    １５ａ  バネかけ
１６  ミラー検知基板    １６ａ  光ウ    １６ｂ  光エ
１７  ミラーバネ    １７ａ  作用端ア    １７ｂ  固定端ア
１８  遮蔽バネ    １８ａ  作用端イ    １８ｂ  固定端イ
【図１】
2011141506.tif 000003
【図２】
2011141506.tif 000004
【図３】
2011141506.tif 000005
【図４】
2011141506.tif 000006
【図５】
2011141506.tif 000007
【図６】
2011141506.tif 000008
【図７】
2011141506.tif 000009
【図８】
2011141506.tif 000010
【図９】
2011141506.tif 000011
【図１０】
2011141506.tif 000012
【図１１】
2011141506.tif 000013
【図１２】
2011141506.tif 000014
【図１３】
2011141506.tif 000015
【図１４】
2011141506.tif 000016
【図１５】
2011141506.tif 000017
【図１６】
2011141506.tif 000018
【図１７】
2011141506.tif 000019
【図１８】
2011141506.tif 000020
【図１９】
2011141506.tif 000021
【図２０】
2011141506.tif 000022
【図２１】
2011141506.tif 000023